(57)【要約】【課題】キッチン内に給湯器を設置するためには、給湯器設置スペースが必要であり、また、給湯器の設置、取り替え、点検などのためのスペースも必要であり、これらのことから、キッチンが狭くなってしまうが、このようなキッチンに給湯器設置することにより生じる問題を解決する。【解決手段】キッチン１において、キャビネット２の後方に給湯器設置スペース１５を備え、給湯器設置スペース１５には壁貫通型給湯器２０が設置されており、キャビネット２は給湯器点検口２５を備え、キャビネット２は給湯器設置スペース１５の前面下方に着脱可能な巾木部１４を備え、巾木部１４は取り外すことで開いた給湯器設置スペース１５の前面を給湯器の点検口２５として使用できる。【選択図】図２
2017196035.tif 000002
【特許請求の範囲】
【請求項１】
キャビネットの側方もしくは後方に給湯器設置スペースを備えるキッチンにおいて、給湯器設置スペースには壁貫通型給湯器が設置されており、キャビネットは給湯器点検口を備えることを特徴とするキッチン。
【請求項２】
請求項１に記載のキッチンにおいて、キャビネットは下方に巾木部を備え、巾木部は取り外し可能に構成されており、この巾木部が給湯器点検口の蓋とされていることを特徴とするキッチン。
【請求項３】
請求項２に記載のキッチンにおいて、巾木部は上部に手掛かり部を備えており、手掛かり部はキャビネット最前面よりも後方に位置していることを特徴とするキッチン。
【請求項４】
請求項１から３のいずれかに記載のキッチンにおいて、給湯器設置スペースに給湯器から排水される不要水を流すためのドレイン排水部を備えることを特徴とするキッチン。
【発明の詳細な説明】
【技術分野】
【０００１】
本発明は、キッチンに関し、特にキャビネットの側方または後方に給湯器設置スペースを備えるキッチンに関するものである。
【背景技術】
【０００２】
従来、キッチンにおける給湯設備として、キッチン内に給湯器を設置することは、知られている。そのために、キッチン内に給湯器設置スペースと給湯器のメインテナンスに必要なアクセススペースが必要である。
【０００３】
ところで、キッチンにおけるキャビネットの前面扉の下方などに生じる隙間を塞ぐために巾木が取り付けることは通常行われているが、このような巾木を取り外し可能とした構成が、知られている（特許文献１、２参照）。
【０００４】
即ち、特許文献１には、収納装置の下面と床面との間の空間を隠すように水平方向に延びる巾木部材を設ける構成が記載されている。特許文献２には、永久磁石板の磁力を利用してけこみ板を金属製のけこみ板部に吸着させるだけで、簡単に取り付けることができる構成が記載されている。
【０００５】
また、従来、浴室の壁などの外壁を貫通した筒内に給湯器が差し込まれ、外部に排気筒などを露出、建物内部の給湯器の飛び出し部分を最小限に抑えた壁貫通型給湯器が知られている（特許文献３参照）。
【先行技術文献】
【特許文献】
【０００６】
【特許文献１】実公平７−４４１７９号公報
【特許文献２】実用新案登録第２６０４６２１号公報
【特許文献３】特許第３９５９６６４号公報
【発明の概要】
【発明が解決しようとする課題】
【０００７】
上記のとおり、キッチン内に給湯器を設置すると、給湯器設置スペースを要し、そのために、キッチンで重要なスペースをとられてしまい、また見た目も必ずしも良いとは言えない。
【０００８】
さらに、給湯器の設置、取り替え、点検などのためのスペースが必要であり、この点からしても、給湯器のために、キッチンが狭くなってしまう。
【０００９】
本発明は、上記のように、キッチン内に給湯器を設置のために必要な給湯器設置スペースによって、キッチンが狭くなったり、見栄えが悪くなるという問題を解決することを課題とする。
【課題を解決するための手段】
【００１０】
本発明は上記課題を解決するために、キャビネットの側方もしくは後方に給湯器設置スペースを備えるキッチンにおいて、給湯器設置スペースには壁貫通型給湯器が設置されており、キャビネットは給湯器点検口を備えることを特徴とするキッチンを提供する。
【００１１】
キャビネットは下方に巾木部を備え、巾木部は取り外し可能に構成されており、この巾木部が給湯器点検口の蓋とされていることが好ましい。
【００１２】
巾木部は上部に手掛かり部を備えており、手掛かり部はキャビネット最前面よりも後方に位置していることが好ましい。
【００１３】
給湯器設置スペースに給湯器から排水される不要水を流すためのドレイン排水部を備えることが好ましい。
【発明の効果】
【００１４】
本発明によれば、キッチンにおいて、キャビネットの側方または後方に給湯器設置スペースを設け、この給湯器設置スペースに壁貫通型給湯器を設置し、キャビネットに給湯器点検口を設けることで、キッチンにおける給湯器の設置スペースをコンパクトにすることができる。  
【図面の簡単な説明】
【００１５】
【図１】本発明のキッチンの実施例１の全体構成を示す斜視図である。
【図２】本発明のキッチンの実施例１を説明する図であり、（ａ）は水平断面図であり、（ｂ）は（ａ）のＢ−Ｂ断面図である。
【図３】本発明のキッチンの実施例２を説明する図であり、（ａ）は平面断面図であり、（ｂ）は（ａ）のＢ−Ｂ断面図である。
【図４】本発明のキッチンの実施例３を説明する図であり、（ａ）は水平断面図であり、（ｂ）は（ａ）のＢ−Ｂ断面図である。
【図５】上記実施例３を説明する図であり、正面図である。
【図６】本発明のキッチンの実施例４を説明する図であり、（ａ）は水平断面図であり、（ｂ）は（ａ）のＢ−Ｂ断面図である。
【図７】上記実施例４を説明する図であり、（ａ）は正面図であり、（ｂ）は図６（ａ）のＡ−Ａ断面図であり、背壁との関係的構成を示すために背壁を想像線で示す。
【図８】本発明のキッチンの実施例４を説明する図であり、（ａ）は図６（ａ）のＣ−Ｃ断面図であり、（ｂ）は巾木部を後面側から見た斜視図であり、（ｃ）は巾木部の変形例を示す要部側面図である。
【図９】本発明のキッチンの実施例５を説明する図であり、（ａ）は前後方向に沿った垂直断面図であり、（ｂ）は作用を説明する垂直断面図である。
【図１０】本発明のキッチンの実施例６を説明する垂直断面図であり、（ａ）は前後方向に沿った垂直断面図であり、（ｂ）は作用を説明する垂直断面図である。
【発明を実施するための形態】
【００１６】
本発明に係るキッチンを実施するための形態を実施例に基づき図面を参照して、以下説明する。
【実施例】
【００１７】
（実施例１）
本発明に係るキッチンの実施例１を、図１、図２（ａ）、（ｂ）において説明する。図１は、キッチン１の全体構成を示す。キッチン１は、天板４の下に引き出し、片開き扉等を備えたキャビネット２が設けられている。要するに、キャビネット２の上面開口は、天板４で閉じられた構成である。５はキャビネット２に隣接するキャビネットである。
【００１８】
なお、後記する実施例２〜６に係るキッチンについては、後記するように側壁と側方の構造壁の間に給湯器設置スペースを設け、側壁に点検口を設ける等の各部の構成では異なるが、基本的には、図２に全体構成を示すようなキッチンに適用する。本明細書では、キャビネット２を正面視して、手前側を前方とし、奥側を後方とし、左右を左右方向として説明する。
【００１９】
実施例１のキッチン１においては、キャビネット２は、建家の構造壁３の内側であってキッチン１内の角部に設置されている。キャビネット２は、左右の側壁６、底壁７、背壁９および前扉１０を備え、前扉１０の下方の隙間には、左右の側壁６の間に取り付けられた巾木部１４を備えている。 
【００２０】
左右の側壁６の後面は、構造壁３に当接されている。背壁９は構造壁３より前方に設けられており、背壁９の後方であって構造壁３との間に生じる隙間が、給湯器設置スペース１５として利用される。要するに、実施例１のキッチン１は、キャビネット２の後方に給湯器設置スペース１５を備えている。
【００２１】
給湯器設置スペース１５に面するように、構造壁３に開口１６が形成されており、この開口１６を貫通するように、壁貫通型給湯器２０が設置されている。壁貫通型給湯器２０は、燃焼器、熱交換器を有する本体部及び排気トップ２１と、給水管の接続部、給湯管の接続部及びドレイン排水部などを有する部分（以下、「給湯部」という）２２を備えている。
【００２２】
本体部及び排気トップ２１は、屋外側に向けられて設置されている。給湯部２２は、本体部及び排気トップ２１に比べて前後方向に薄く形成されており、キッチン１の給湯器設置スペース１５内に設置されている。
【００２３】
背壁９には、給湯器設置スペース１５に面して給湯器点検口２５が形成されている。給湯器点検口２５は、常時は、背壁９に蓋２６が、ネジ２９によって着脱可能に取り付けられて、閉鎖される構成となっている。蓋２６はネジ２９の替わりに、図示はしないが、マグネット、フックまたはローラキャッチャなどによって、着脱可能に取り付ける構成としてもよい。                                      
【００２４】
以上の構成から成る本発明に係るキッチン１によれば、壁貫通型給湯器２０の設置、取り替え、保守、点検などの際には、ネジ２９を外し、蓋２６を取り外して給湯器点検口２５を開けば、作業が可能となる。なお、壁貫通型給湯器２０の設置、取り替えなどにおいて大々的な作業の場合は、必要に応じて、キャビネット２自体を前方に移動してはずせば、より作業がし易い。
【００２５】
キッチン内側に設置された給湯部２２は、前後方向に薄く形成されている。そのために、本発明のキッチン１においては、給湯器設置スペース１５は、壁貫通型給湯器２０の薄く形成された給湯部２２を設置するために必要なコンパクトな空間であれば良い。
【００２６】
従って、給湯器の全てを室内に配置した従来のキッチンに比較して、キッチン１における給湯器によって占められるスペースが小さくなる。また、キャビネット２の背壁９の後方に壁貫通型給湯器２０が設置されているので、利用者には見えないので、キッチンに露出して設置する従来の給湯器のように、見た目が悪いということもなくなる。
【００２７】
（実施例２）
本発明に係るキッチンの実施例２を図３（ａ）、（ｂ）において説明する。この実施例２のキッチン４０は、キャビネット４１を備えている。このキャビネット４１は、キッチン４０の後方の構造壁３に当接し、かつキッチン４０の側方の構造壁３の近くに設置されている。
【００２８】
キャビネット４１は、左右の側壁４２、底壁４３、背壁４５および前扉４６を備え、前扉４６および底壁４３の下方の隙間には巾木部５０が取り付けられている。背壁４５は、構造壁３に当接または固定されて設置される。４７はキャビネット４１に隣接するキャビネットである。
【００２９】
側壁４２と側方の構造壁３との間に生じる隙間が、給湯器設置スペース５１として利用される。要するに、実施例２のキッチン４０は、キャビネット２の側方に給湯器設置スペース５１を備えている。
【００３０】
給湯器設置スペース５１の前面側には、隠し板５２が側壁４２と構造壁３の間に、設けられている。隠し板５２は、側壁４２と構造壁３の間に、ネジ等を用いて、着脱可能に取り付けられる構成としてもよい。このような隠し板５２を取り付けることで、前扉４６を開いた際に、給湯器設置スペース５１内が見えないように構成されている。
【００３１】
前扉４６の横幅はキャビネット４１の前面開口をカバーするとともに、キャビネット側方の構造壁３に近接する位置まで延びており（図３（ａ）参照）、キャビネット４１の前面を開閉するだけでなく、閉じている場合は、隠し板５２の前面側もカバーしている。巾木部５０は、通常のキャビネットと同様に、前扉４６の下方かつ後方であって、左右の側壁４２の間にわたって、設置されている。
【００３２】
給湯器設置スペース５１に面するように、側方の構造壁３には開口５５が形成されており、この開口５５を貫通するように、壁貫通型給湯器２０が設置されている。壁貫通型給湯器２０は、その燃焼器、熱交換器を有する本体部及び排気トップ２１は、屋外側に向けられて設置されている。壁貫通型給湯器２０の給湯部２２は、左右方向に薄く形成されており、給湯器設置スペース５１内に配置されている（図３（ａ）参照）。
【００３３】
左の側壁４２には、給湯器設置スペース５１に面して給湯器点検口５６が形成されている。給湯器点検口５６は、常時は、側壁４２に蓋５７が、実施例１の場合と同様に、ネジ２９によって着脱可能に取り付けられている。蓋５７は、マグネット、フックまたはローラキャッチャなどによって、着脱可能な構成としてもよい。     
【００３４】
以上の構成から成る本発明に係るキッチン４０によれば、実施例１と同様に、壁貫通型給湯器２０の設置、取り替え、保守、点検などの際には、蓋５７をはずして給湯器点検口５６を開けば、作業が可能となる。
【００３５】
また、本発明のキッチン４０は、キャビネット４１の側方において、側方の構造壁３との間に給湯器設置スペース５１を設け、この給湯器設置スペース５１に薄く形成された給湯部２２が配置されている構成であるので、キッチン４０における給湯器によって占められるスペースが従来のキッチンに比べて小さくなり、また、前扉４６を開いても、隠し板５２によって、利用者には給湯器設置スペース５１内は見えないので、従来の給湯器のように見た目が悪いということもなくなる。
【００３６】
（実施例３）
本発明に係るキッチンの実施例３を図４、図５において説明する。なお、以下説明する実施例３〜６のキッチンは、いずれもキャビネットと側方の構造壁の間に給湯器設置スペースを設けた構成である点で実施例２のキッチン４０と共通しており、実施例２のキッチン４０と共通した構成の部分については、同じ符号を使用する。
【００３７】
この実施例３のキッチン６０は、キャビネット６１を備えている。このキャビネット６１は、図４（ａ）、（ｂ）に示すように、キッチン６０の後方の構造壁３に当接し、かつキッチン６０の側方の構造壁３の近くに設置されている。
【００３８】
キャビネット６１は、実施例２と同様に、左右の側壁４２、底壁４３および背壁４５を備えており、前面には前扉６３を備えている。前扉６３は、図４（ａ）、図５に示すように、通常のキャビネットの前扉と同様の構成であり、実施例２とは異なり、キャビネット６１の前面開口のみを開閉する横幅を有する。
【００３９】
前扉６３および底壁４３の下方の隙間には、巾木部５０が設置されている。巾木部５０は、通常のキャビネットと同様に、前扉６３の下方かつ後方であって、左右の側壁４２の間にわたって取り付けられている。背面壁４５は、構造壁３に当接または固定されている。
【００４０】
キャビネット６１の左の側壁と４２と側方の構造壁３との間に、実施例２と同様に、給湯器設置スペース５１を備えている。給湯器設置スペース５１に面するように、左側方の構造壁３には開口５５が形成されており、この開口５５を貫通するように、壁貫通型給湯器２０が設置されている。壁貫通型給湯器２０の、左右方向に薄い給湯部２２が給湯器設置スペース５１内に配置されている。
【００４１】
キャビネット６１の左右の側壁４２には、それぞれ給湯器点検口５６が形成されている。給湯器点検口５６は、実施例２と同様に、常時は、側壁４２に蓋５７が、ネジ２９やフックなどで着脱可能に取り付けられて、閉鎖されている構成となっている。
【００４２】
図４、図５に示す実施例３のキッチン６０では、左側方の構造壁３の開口５５を貫通して壁貫通型給湯器２０が設置されているので、給湯器点検口５６は、キャビネット６１の左の側壁４２に形成されているだけでもよい。
【００４３】
しかしながら、図４（ａ）、図５に示すように、キャビネット６１の左右の側壁４２に、それぞれ給湯器点検口５６が形成されていると、図示はしないが、キャビネット６１を右側方の構造壁の近くに設置し、右側方の構造壁に壁貫通型給湯器２０が設置され、給湯器設置スペースがキャビネット６１の右側方の構造壁との間に形成される場合は、右の側壁４２に形成された給湯器点検口５６が役立つこととなる。
【００４４】
給湯器設置スペース５１の前面側は、フィラー６６によって塞がれ、給湯器設置スペース５１の前面がカバーされている。このフィラー６６は板材６７を有する。この板材６７は、左方の構造壁３とキャビネット６１の側壁４２の間に、固定して取り付けても、着脱可能に取り付けてもよい。板材６７を着脱可能に取り付けると、板材６７を外すことにより、給湯器設置スペース５１の前面側が開口するので、給湯器点検口としても利用できる。
【００４５】
本実施例のキッチン６０では、フィラー６６は、板材６７の後面に鉄板６８が取り付けられている。そして、側方の構造壁３の内面とキャビネット６１の左の側壁４２に、マグネット６９が設けられている。板材６７の鉄板６８を、マグネット６９に吸着して、板材６７を給湯器設置スペース５１の前面に着脱可能に取り付けることができる。
【００４６】
なお、フィラー６６は、上記のようマグネット６９および鉄板６８を利用しないで、図示はしないが、ローラキャッチャによって、板材６７を構造壁３とキャビネット６１の側壁４２の間に着脱可能に取り付ける構成としてもよい。
【００４７】
以上の構成から成る本発明に係るキッチン６０によれば、実施例２と同様に、壁貫通型給湯器２０の設置、取り替え、保守、点検などの際には、蓋５７を外して給湯器点検口５６を開けば、簡単に作業が可能となる。
【００４８】
さらに、フィラー６６を着脱可能に取り付ける構成とすれば、フィラー６６を外すことによっても給湯器点検口が形成され、給湯器設置スペース５１へのアクセスが可能となり、保守、点検などの作業が可能となる。
【００４９】
本実施例のキッチン６０は、実施例２と同様に、キッチン内に給湯器の全てを設けた従来のキッチンに比べて、給湯器によって占められるスペースを小さくすることができ、また、壁貫通型給湯器２０は、前扉６３およびフィラー６６によって、給湯器設置スペース５１内が利用者には見えないので、従来のように、給湯器を室内に設けたキッチンに比べて、見た目が悪くなるということもない。  
【００５０】
（実施例４）
本発明に係るキッチンの実施例４を図６〜図８において説明する。この実施例４のキッチン８０は、キャビネット８１を備えており、実施例２のキッチン６０と比較して、次の点において、共通している。
【００５１】
即ち、実施例４のキッチン８０のキャビネット８１は、図６（ａ）、（ｂ）、図７（ａ）、図８（ａ）などに示すように、左右の側壁４２、底壁４３、背壁４５および前扉４６を備えている。背壁４５は構造壁３に当接または固定されて設置される。そして、側壁４２と側方の構造壁３との間に、給湯器設置スペース５１を備えている。
【００５２】
給湯器設置スペース５１に面するように、側方の構造壁３には開口５５が形成されており、この開口５５を貫通するように、壁貫通型給湯器２０が設置されている。壁貫通型給湯器２０は、左右方向に薄い給湯部２２を備え、この給湯部２２は、給湯器設置スペース５１内に配置されている。
【００５３】
実施例４のキッチン８０は、以上の構成において、実施例２のキッチン４０と共通しているが、キッチン８０は、キャビネット８１の側壁４２には、給湯器点検口が形成されていない。
【００５４】
その替わり、キャビネット８１の前扉４６および底壁４３の下方、かつ後方であって、右の側壁４２と構造壁３の間にわたって、巾木部８２が着脱可能に取付けられており、巾木部８２を外すことにより開く開口を、給湯器点検口として使用可能な構成を特徴とする。
【００５５】
給湯器設置スペース５１には、給水管（図示せず）の他、図６（ａ）、（ｂ）、図７（ａ）、（ｂ）に示すように、給湯部２２から排水される不要水を流すためのドレイン排水部８５とドレイン受け部８６を備えている。
【００５６】
図６（ａ）、図７（ａ）、（ｂ）、図８（ａ）に示すように、給湯器設置スペース５１の前面側の巾木部８２の上であって、左の側壁４２と側方の構造壁３の間に、隠し板８７が設けられている。隠し板８７は、図示はしないが、側壁４２と構造壁３の間に、一方(又は他方）にマグネット、他方(又は一方）に鉄板が設けられ、着脱可能に取り付けられる構成としてもよい。
【００５７】
前扉４６は、実施例２と同様に、図６（ａ）、図７（ａ）に示すように、その横幅は側方の構造壁３に近接する位置まで延びており、キャビネット８１および給湯器設置スペース５１の前面を開閉するだけでなく、閉じている場合は、隠し板８７の前面側もカバーしている。
【００５８】
キャビネット８１の左右の側壁４２の内面下部には、図６（ａ）、（ｂ）に示すように、それぞれマグネット（又は鉄プレート）８９が取り付けられている。マグネット８９は、キャビネット８１の最前面、即ち前扉４６の前面から後方に引っ込んだ位置に設けられている。
【００５９】
巾木部８２は、図７（ａ）に示すように、前扉４６および隠し板８７の下方にわたって、設置されている。巾木部８２の後面左右の内面には、マグネット８９に当接する位置に、図８（ａ）、（ｂ）に示すように、鉄プレート９０（又はマグネット）が突設されている。
【００６０】
巾木部８２をキャビネット８１の前扉４６の下方に取り付ける場合は、図８（ａ）に示すように、前扉４６および隠し板８７の下方において、巾木部８２を後方に押し入れ、左右の鉄プレート９０を、キャビネット８１の左右の側壁４２のマグネット８９にそれぞれ吸着させればよい。
【００６１】
以上の構成から成る実施例４のキッチン８０によれば、巾木部８２を外すことで、給湯器設置スペース５１の前面側の下部が給湯器点検口となるので、壁貫通型給湯器２０の設置、取り替え、保守、点検などの作業を行うことが可能となる。
【００６２】
給湯部２２に対する保守、点検などの作業は、特に、給湯部２２の下方における給水管、排水ドレインなどの作業が比較的多いので、このような作業の際には、巾木部８２を外し、給湯器設置スペース５１の前面側の下部に位置する給湯器点検口を開くことで、給湯部２２の下方における給水管、排水ドレインなどの部分にアクセス可能となる。
【００６３】
キッチン８０は、キャビネット８１の側方において、側方の構造壁３との間に給湯器設置スペース５１を設け、この給湯器設置スペース５１に薄く形成された給湯部２０が配置されている構成であるので、キッチン８０における給湯器によって占められるスペースが小さくなる。また、前扉４６、隠し板８７および巾木部８２によって、利用者には給湯器設置スペース５１内が見えないので、従来の給湯器のように見た目が悪いということもない。
【００６４】
なお、図８（ｃ）に巾木部８２の変形例示すが、巾木部８２の上部に手掛かり部を９３備え、手掛かり部９３はキャビネット８１の最前面よりも後方に位置している構成としてもよい。
【００６５】
このように手掛かり部９３を設けると、通常は手掛かり部９３は、前扉４６によって見えないが、手掛かり部９３に手を掛けて前方に引くことにより、マグネット８９と鉄プレート９０の吸着を外して、巾木部８２を簡単に外すことが可能となる。
【００６６】
（実施例５）
本発明に係るキッチンの実施例５を図９において説明する。この実施例５のキッチン１００は、実施例２のキッチン４０と同様に、キャビネット１０１を正面視して、側方の構造壁３（図９の紙面に垂直な奥の方の構造壁３）の開口を貫通して壁貫通型給湯器２０が設置されている。
【００６７】
そして、キャビネット１０１と側方の構造壁３の間に、給湯器設置スペース５１を備えている。給湯器設置スペース５１内に、壁貫通型給湯器２０における左右方向（図９（ａ）、（ｂ）では紙面に垂直方向）に薄い給湯部２２が配置されている。
【００６８】
キャビネット１０１は、実施例２のキャビネット４０と同様に、左右の側壁４２、底壁４３、背壁４５および前扉４６を備えている。底壁４３には、キャスタ１０６が取り付けられており、キャビネット１０１全体が、キッチン１００内に適宜固定された天板１０３の下方において、前後方向に移動可能である。
【００６９】
キャビネット１０１は、常時は、図９（ａ）に示すように、天板１０３の下方であって、キッチン１００の後方の構造壁３（図９（ａ）の右方に示す構造壁３）の近くに押し込まれ、しかもキッチン１００の側方の構造壁３との間に隙間をあけて、給湯器設置スペース５１が形成されるように設置される。
【００７０】
給湯器設置スペース５１の前面側には、隠し板１０７が取り付けられている。隠し板１０７は、図示はしないが、キャビネット１０１をキッチン１００の後方の構造壁３の近くに押し込んだ状態で、隠し板１０７を、側方の構造壁３と側壁４２の間に、マグネットおよび鉄板の吸着力を利用して着脱可能に取り付ける。これによって、給湯器設置スペース５１の内部が利用者から隠すことができる。
【００７１】
前扉４６は、その横幅は通常のキャビネットの前扉のように、キャビネット１０１の横幅と同じとしてもよいが、実施例４に示す前扉４６のように、側方の構造壁３に近接する位置まで延びるようにしてもよい。実施例４に示す前扉４６のような構成とすると、キャビネット１０１の前面を開閉するだけでなく、閉じている場合は、隠し板１０７の前面側もカバーしている。 
【００７２】
前扉４６および底壁４３の下方の隙間には、キャビネット１０１の下方をカバーする巾木部５０が設けられている。この巾木部５０は、実施例４の巾木部８２と同様に、前扉４６および隠し板１０６の下方にわたって、設置されており、マグネットおよび鉄板によって、キャビネット１０１の左右の側壁４２に着脱可能な構成とする。
【００７３】
実施例２と同様に、キャビネット１０１を正面視して左の側壁４２には、壁貫通型給湯器２０に面して給湯器点検口５６が形成されている。給湯器点検口５６は、常時は、背壁４５に蓋５７（図９では取り付けられた状態を想像して想像線で示す）が、ネジ（或いはフックまたはローラキャッチャ）によって、着脱可能に取り付けられ、閉鎖されている構成となっている。
【００７４】
以上の構成から成る本発明に係るキッチン１００によれば、上記のとおり、常時は、キッチン１００の後方の構造壁３の近くに押し込まれて使用される。壁貫通型給湯器２０の設置、取り替え、保守、点検などの際には、図９（ｂ）に示すように、前方に移動して引き出せば、壁貫通型給湯器２０の給湯部２２などにアクセス可能となる。
【００７５】
なお、左の側壁４２には、給湯器設置スペース５１に面して給湯器点検口５６が形成されているので、保守、点検などの簡単な作業であれば、キッチン１００を前方に移動することなく、給湯器点検口５６を利用して作業すればよい。
【００７６】
実施例５のキッチン１００についても、実施例２と同様に、キッチン１００における給湯器によって占められるスペースが小さくなり、また、前扉４６、巾木部５０および隠し板１０７などによって、給湯器設置スペース５１内は利用者には見えないので、キッチン内に露出して設置する従来の給湯器のように、見た目が悪いということもなくなる。
【００７７】
（実施例６）
本発明に係るキッチンの実施例６を図１０において説明する。この実施例６のキッチン１１０は、実施例５のキッチン１００とほぼ同じ構成であるので、相違する構成を中心に、以下説明する。この実施例６のキッチン１１０では、天板１０３の前端に天板前垂れ１１１が形成されている。
【００７８】
キッチン１１０においては、キャビネット１０１の底壁４３には、キャスタ１０６と、ネジ部１１５を有するアジャスタ１１６を、螺着して設け、このアジャスタ１１６によって、キャビネット１０１を上下方向の高さ位置を調整可能とした。
【００７９】
キッチン１１０の使用において、常時は、図１０（ａ）に示すように、アジャスタ１１６によって、キャビネット１０１を高い位置に調整し、キャビネット１０３の最上部を天板１０３の下面に近くまたは当接した状態にし、キャスタ１０６は床１１９から上方に離した状態として使用する。この状態における、キャビネット１０１の最上部と天板前垂れ１１１の下端面の間の高さの差をｈとする。
【００８０】
しかし、このようにキャビネット１０１を高い位置にした状態では、壁貫通型給湯器２０の取り替え、保守、点検などの作業の際には、キャビネット１０１をそのまま前方に移動しようとしても、キャビネット１０１の最上部が天板前垂れ１１１に当たって移動できない。
【００８１】
そこで、アジャスタ１１６によって、図１０（ｂ）に示すように、キャビネット１０１を、上下方向にｈ以上低い高さに調整し、キャビネット１０１の最上部が天板前垂れ１１１の下端面より低くし、しかもキャスタ１０６が床１１９に着き、アジャスタ１１６の下端が床１１９より上方になる状態とする。
【００８２】
このようにキャビネット１０１の位置を低くすることで、キャビネット１０１の最上部が天板前垂れ１１１に当たらないので、キャスタ１０６によって、キャビネット１０１を前方に引き出すこと可能となる。これによって、壁貫通型給湯器２０にアクセス可能となり、保守、点検などの所要の作業を行うことができる。
【００８３】
以上、本発明に係るキッチンを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００８４】
本発明に係るキッチンは上記のような構成であるが、キッチン以外にも、給湯器を使用する洗面所などにも適用可能である。
【符号の説明】
【００８５】
１  キッチン
２  キャビネット                      
３  構造壁
４  天板
５  隣接するキャビネット                            
６  左右の側壁                          
７  底壁                              
９  背壁                              
１０  前扉                            
１４  巾木部                          
１５  給湯器設置スペース              
１６  構造壁の開口                   
２０  壁貫通型給湯器                 
２１  本体部および排気トップ            
２２  給湯部                          
２５  背壁に形成された給湯器点検口          
２６  給湯器点検口の蓋                      
２９  ネジ                      
４０  キッチン                        
４１  キャビネット                    
４２  左右の側壁                        
４３  底壁                            
４５  背壁                            
４６  前扉
４７  隣接するキャビネット    
５０  巾木部                          
５１  給湯器設置スペース              
５２  隠し板                          
５５  構造壁の開口                    
５６  側壁に形成された給湯器点検口          
５７  給湯器点検口の蓋                      
６０  キッチン                        
６１  キャビネット
６３  前扉 
６６  フィラー                        
６７  板材                            
６８  鉄板                            
６９  マグネット                      
８０  キッチン                        
８１  キャビネット                    
８２  巾木部                          
８５  ドレイン排水部                    
８６  ドレイン受け部                  
８７  隠し板                          
８９  マグネット                      
９０  鉄プレート
９３  手掛かり部                      
１００  キッチン                      
１０１  キャビネット                  
１０３  天板                          
１０６  キャスタ
１０７  隠し板                        
１１０  キッチン                      
１１１  天板前垂れ                    
１１５  ネジ部                        
１１６  アジャスタ                    
１１９  床                            
【図１】
2017196035.tif 000003
【図２】
2017196035.tif 000004
【図３】
2017196035.tif 000005
【図４】
2017196035.tif 000006
【図５】
2017196035.tif 000007
【図６】
2017196035.tif 000008
【図７】
2017196035.tif 000009
【図８】
2017196035.tif 000010
【図９】
2017196035.tif 000011
【図１０】
2017196035.tif 000012